(57)【要約】      （修正有）【課題】誤動作せずに、両面入力が可能な入力装置および上記入力装置を用いた電子システムを提供する。【解決手段】入力装置は、第一面１０と第二面２０とを含み、第一面１０と第二面２０とは互いの裏面であり、第一面１０には第一入力インターフェースが配置されており、第二面２０には第二入力インターフェースが配置されている筺体２００と、筺体内に配置され、第一面１０および第二面２０のいずれが所定の方向を向いているかを検出し、検出結果を発生させる検出器１００と、筺体内に配置され、第一入力インターフェースと、第二入力インターフェースと、検出器とを電気的に接続し、検出結果に基づいて、第一入力インターフェースが受信したコマンドに従って操作を行うか、または、第二入力インターフェースが受信したコマンドに従って操作を行うかを決定する処理回路とを含む。【選択図】図１
2012074003.tif 000002
【特許請求の範囲】
【請求項１】
第一面と第二面とを含み、該第一面と該第二面とは互いの裏面であり、該第一面には第一入力インターフェースが配置されており、該第二面には第二入力インターフェースが配置されている筺体と、
該筺体内に配置され、該第一面および該第二面のいずれが所定の方向を向いているかを検出し、検出結果を発生させる検出器と、
該筺体内に配置され、該第一入力インターフェースと、該第二入力インターフェースと、該検出器とを電気的に接続し、該検出結果に基づいて、該第一入力インターフェースが受信したコマンドに従って操作を行うか、または該第二入力インターフェースが受信したコマンドに従って操作を行うかを決定する処理回路とを含むことを特徴とする入力装置。
【請求項２】
該第一入力インターフェースおよび該第二入力インターフェースは、それぞれタッチスクリーンインターフェース、キーボードインターフェース、および押しボタンインターフェースの少なくとも一つにより実現されることを特徴とする請求項１に記載の入力装置。
【請求項３】
該検出器は、重力検出器または光検出器により実現されることを特徴とする請求項１に記載の入力装置。
【請求項４】
該検出器は、該重力検出器により実現され、該所定の方向は、地球引力の方向であり、該第一面が該所定の方向を向いている時に、該処理回路は、該第二入力インターフェースが受信したコマンドに従って操作を行うことを決定し、また、該第二面が該所定の方向を向いている時に、該処理回路は、該第一入力インターフェースが受信したコマンドに従って操作を行うことを決定することを特徴とする請求項３に記載の入力装置。
【請求項５】
該検出器は、該光検出器により実現され、該所定の方向は、逆光の方向であり、該第一面または該第二面には該光検出器が光線を検出するための透光領域が設けられており、該第一面が該所定の方向を向いている時に、該処理回路は、該第二入力インターフェースが受信したコマンドに従って操作を行うことを決定し、該第二面が該所定の方向を向いている時に、該処理回路は、該第一入力インターフェースが受信したコマンドに従って操作を行うことを決定することを特徴とする請求項３に記載の入力装置。
【請求項６】
ホスト装置と、請求項１〜５のいずれかに記載の入力装置とを含むことを特徴とする電子システム。
【発明の詳細な説明】
【技術分野】
【０００１】
本発明は、入力装置に関し、特に電子システムの入力装置およびこれを用いた電子システムに関する。
【背景技術】
【０００２】
市販されている多くの電子システムは、通常、二つの部分を有する。一つは、ホスト装置であり、もう一つは、このホスト装置の入力装置である。上記ホスト装置としては、例えば、テレビ、コンピューター、ＤＶＤプレーヤー、またはセットトップボックスなどが挙げられる。また、上記入力装置としては、例えば、マウス、キーボード、リモコンなどが挙げられる。上述したそれらのホスト装置は、入力装置からの信号を受信し、受信した信号に基づいて、対応する操作を行うことができる。
【０００３】
しかしながら、ホスト装置の機能の持続的な拡張に伴い、一般的な片面入力式の入力装置は、需要を満たせなくなってきた。例えば、今でもテレビはインターネット接続ができるようになっており、このため、未来の世界では、テレビの入力装置は、上下左右ボタンや数字入力ボタンを有する簡易入力装置ではなく、さらに文字入力ボタンを必要とするようになろう。しかしながら、一般的な片面入力式の入力装置は、入力ボタンを配置する面では、更なる入力ボタンを設けるスペースがないため、このような片面入力式の入力装置は、将来の需要を満たすことができない。
【発明の概要】
【発明が解決しようとする課題】
【０００４】
本発明の目的は、誤動作せずに、両面入力が可能な入力装置を提供することにある。
本発明のもう一つの目的は、上記入力装置を用いた電子システムを提供することにある。
【課題を解決するための手段】
【０００５】
本発明は、第一面と第二面とを含み、第一面と第二面とは互いの裏面であり、第一面には第一入力インターフェースが配置されており、第二面には第二入力インターフェースが配置されている筺体と、筺体内に配置され、第一面および第二面のいずれが所定の方向を向いているかを検出し、検出結果を発生させる検出器と、筺体内に配置され、第一入力インターフェースと、第二入力インターフェースと、検出器とを電気的に接続し、検出結果に基づいて、第一入力インターフェースが受信したコマンドに従って操作を行うか、または、第二入力インターフェースが受信したコマンドに従って操作を行うかを決定する処理回路とを含む入力装置を提供する。
本発明は、また、ホスト装置と、上記入力装置とを含む電子システムを提供する。
【０００６】
本発明の一つの実施例によれば、上記第一入力インターフェースおよび上記第二入力インターフェースは、それぞれタッチスクリーンインターフェース、キーボードインターフェース、および押しボタンインターフェースの少なくとも一つにより実現される。
本発明の一つの実施例によれば、上記検出器は、重力検出器または光検出器により実現される。
【０００７】
本発明の一つの実施例によれば、上記検出器は、重力検出器により実現され、所定の方向は、地球引力の方向であり、第一面が所定の方向を向いている時に、処理回路は、第二入力インターフェースが受信したコマンドに従って操作を行うことを決定し、また、第二面が所定の方向を向いている時に、処理回路は、第一入力インターフェースが受信したコマンドに従って操作を行うことを決定する。
【０００８】
本発明の一つの実施例によれば、上記検出器は、光検出器により実現され、所定の方向は、逆光の方向であり、第一面または第二面には光検出器が光線を検出するための透光領域が設けられており、第一面が所定の方向を向いている時に、処理回路は、第二入力インターフェースが受信したコマンドに従って操作を行うことを決定し、第二面が所定の方向を向いている時に、処理回路は、第一入力インターフェースが受信したコマンドに従って操作を行うことを決定する。
【０００９】
本発明が上述した問題を解決する手段は、入力装置の筺体の二つの表面にそれぞれ入力インターフェースを配置し、上記二つの表面のいずれが所定の方向を向いているかを検出するために上記筺体内に検出器を設置し、検出結果を発生させることである。上記筺体内に設置されている処理回路は、上記検出結果に基づいて、どちらの入力インターフェースが受信したコマンドに従って操作を行うかを決定する。したがって、本発明の入力装置は、両面入力ができるのみならず、所定の方向を向いている入力インターフェースを使用者が間違えて押しても誤動作の問題は起こらない。
【図面の簡単な説明】
【００１０】
【図１】図１は、本発明の一つの実施例に係る入力装置を示す。
【図２Ａ】図２Ａは、本発明の一つの実施例に係る入力装置の立体的構造を示す。
【図２Ｂ】図２Ｂは、本発明の一つの実施例に係る入力装置の立体的構造を示す。
【図３】図３は、本発明のもう一つの実施例に係る入力装置を示す。
【図４】図４は、本発明の一つの実施例に係る電子システムを示す。
【発明を実施するための形態】
【００１１】
以下、本発明の上述した目的又は他の目的、特徴および効果を理解してもらうため、好ましい実施例と図面を挙げて、詳細に説明する。
【実施例１】
【００１２】
図１は、本発明の一つの実施例に係る入力装置を示す概略図である。図１に示すように、入力装置４００は、筺体２００と、検出器１００と、処理回路１１０とを含む。ここで、筺体２００は、第一面１０と第二面２０とを含み、第一面１０と第二面２０とは、互いの裏面である。例えば、第一面１０は、筺体２００の上面であり、第二面２０は、筺体２００の下面である。また、第一面１０には、入力インターフェース３０が配置されており、第二面２０には、入力インターフェース４０が配置されている。上記入力インターフェース３０および４０は、それぞれ、図２Ａおよび２Ｂに示すように、例えば、タッチスクリーンインターフェース、キーボードインターフェース、および押しボタンインターフェースの少なく一つにより実現される。
【００１３】
図２Ａおよび２Ｂは、本発明の一つの実施例に係る入力装置を立体的に示す概略図である。ここで、図２Ａは、入力装置の筺体の第一面を示し、図２Ｂは、図２Ａに示す入力装置の筺体の第二面を示す。図２Ａに示すように、この入力装置の筺体２００の第一面１０には、入力インターフェース３０が配置されており、この入力インターフェース３０は、タッチスクリーンインターフェース３０−１および押しボタンインターフェース３０−２により実現される。また、図２Ｂに示すように、この入力装置の筺体２００の第二面２０には、入力インターフェース４０が配置されており、この入力インターフェースは、キーボードインターフェースにより実現される。
【００１４】
また、図１に示すように、上記検出器１００は、筺体２００内に配置されており、第一面１０および第二面２０のいずれが所定の方向を向いているかを検出し、検出結果を発生させる。この実施例において、検出器１００は、重力検出器(G−Sensor)により実現される。したがって、上記所定の方向は、地球引力の方向であっても良い。一方、上記処理回路１１０も筺体２００内に配置されており、この処理回路１１０は、入力インターフェース３０と、入力インターフェース４０と、検出器１００とを電気的に接続する。処理回路１１０は、検出器１００が発生させた検出結果に基づいて、入力インターフェース３０が受信したコマンドに従って操作を行うか、または、入力インターフェース４０が受信したコマンドに従って操作を行うかを決定する。例えば、筺体２００の第二面２０が上記所定の方向(例えば、地球引力の方向)を向いている時に、処理回路１１０は、検出器１００が発生させた検出結果に基づいて、入力インターフェース３０が受信したコマンドに従って操作を行う。逆に、筺体２００の第一面１０が上記所定の方向を向いている時に、処理回路１１０は、検出器１００が発生させた検出結果に基づいて、入力インターフェース４０が受信したコマンドに従って操作を行う。
【００１５】
上記説明から分かるように、本発明の入力装置は、両面入力ができるのみならず、所定の方向を向いている入力インターフェースを使用者が間違えて押しても誤動作の問題は起こらない。
【実施例２】
【００１６】
図３は、本発明のもう一つの実施例に係る入力装置を示す概略図である。図３および図１に示すように、図３に示す入力装置５００と、図１に示す入力装置４００との相違点は、入力装置５００内の検出器１００が光検出器により実現されることにある。入力装置５００内の検出器１００が光検出器により実現されるため、入力装置５００の筺体２００の第一面１０または第二面２０には、光検出器が光線を検出できるように、透光領域を設ける必要がある。この実施例においては、入力装置５００の筺体２００の第一面１０に透光領域５１０を設けている。
【００１７】
また、図３に示すように、透光領域５１０が光の方向を向いている場合に検出器１００が検出する輝度は、透光領域５１０が逆光の場合に検出する輝度と異なるため、検出器１００が発生させる検出結果も異なる。したがって、処理回路１１０は、検出器１００が発生させる検出結果に基づいて、筺体２００の第一面１０または第二面２０のどちらが所定の方向(例えば逆光の方向)を向いているかを判断することが可能である。例えば、透光領域５１０が光の方向を向いている時に、処理回路１１０は、検出器１００が発生させる検出結果に基づいて、筺体２００の第二面２０が逆光の方向を向いていると判断することができる。また、透光領域５１０が逆光の方向を向いている時に、処理回路１１０は、検出器１００が発生させる検出結果に基づいて、筺体２００の第一面１０が光の方向を向いていると判断することができる。
【００１８】
このように、筺体２００の第一面１０が所定の方向を向いている時に、処理回路１１０は、入力インターフェース４０が受信したコマンドに従い操作を行うことを決定することができる。また、筺体２００の第二面２０が所定の方向を向いている時に、処理回路１１０は、入力インターフェース３０が受信したコマンドに従い操作を行うことを決定することができる。
【実施例３】
【００１９】
図４は、本発明の一つの実施例に係る電子システムを示す概略図である。この電子システムは、ホスト装置６００と入力装置７００とを含み、上記入力装置７００は、上述した第一実施例または第二実施例に記載の上記入力装置により実現される。上記入力装置７００は、有線方式または無線方式により信号をホスト装置６００に転送することができる。これにより、ホスト装置６００は、受信した信号に従って、対応する操作を行う。
【００２０】
以上のように、本発明が上述した問題を解決する手段は、入力装置の筺体の二つの表面にそれぞれ入力インターフェースを配置し、上記二つの表面のいずれが所定の方向を向いているかを検出するために上記筺体内に検出器を設置し、検出結果を発生させることである。上記筺体内に設置されている処理回路は、上記検出結果に基づいて、どちらの入力インターフェースが受信したコマンドに従って操作を行うかを決定する。したがって、本発明の入力装置は、両面入力ができるのみならず、所定の方向を向いている入力インターフェースを使用者が間違えて押しても誤動作の問題は起こらない。
【００２１】
以上のように本発明の好適な実施例により本発明を開示したが、本発明は、上記内容により制限されない。当業者は、本発明の主旨および開示範囲から離れることなく、様々な変更および置き換えを行うことが可能である。したがって、本発明の保護範囲は、添付されている以下の特許請求の範囲により定義される。
【符号の説明】
【００２２】
１０  第一面
２０  第二面
３０  入力インターフェース
３０−１  タッチスクリーンインターフェース
３０−２  押しボタンインターフェース
４０  入力インターフェース
１００  検出器
１１０  処理回路
２００  筺体
４００  入力装置
５００  入力装置
５１０  透光領域
６００  ホスト装置
７００  入力装置
【図１】
2012074003.tif 000003
【図２Ａ】
2012074003.tif 000004
【図２Ｂ】
2012074003.tif 000005
【図３】
2012074003.tif 000006
【図４】
2012074003.tif 000007